(57)【要約】  ウェブ印刷機は、第１のウェブの第１の側において第１のウェブを印刷する第１のサテライト型印刷ユニットと、第２のウェブの第１の側において第２のウェブを印刷する第２のサテライト型印刷ユニットと、第１及び第２のサテライト型印刷ユニットの下流に第１のドライヤとを有しており、第１及び第２のウェブが第１のドライヤを通過する。第３のサテライト型印刷ユニットが第１のドライヤの下流において第１のウェブの第２の側において第１のウェブを印刷し、第４のサテライト型印刷ユニットが第１のドライヤの下流において第２のウェブの第２の側において第２のウェブを印刷する。方法も提供される。
2009530133.tif 000002
【特許請求の範囲】
【請求項１】
ウェブ印刷機において、
第１のウェブの第１の側において第１のウェブを印刷する第１のサテライト型印刷ユニットが設けられており、
第２のウェブの第１の側において第２のウェブを印刷する第２のサテライト型印刷ユニットが設けられており、
第１及び第２のサテライト型印刷ユニットの下流に第１のドライヤが設けられており、第１及び第２のウェブが第１のドライヤを通過するようになっており、
第１のドライヤの下流において第１のウェブの第２の側において第１のウェブを印刷する第３のサテライト型印刷ユニットが設けられており、
第１のドライヤの下流において第２のウェブの第２の側において第２のウェブを印刷する第４のサテライト型印刷ユニットが設けられていることを特徴とする、ウェブ印刷機。
【請求項２】
第１のウェブの第２の側と、第２のウェブの第２の側とが、互いに面して第１のドライヤを通過する、請求項１記載のウェブ印刷機。
【請求項３】
第３及び第４のサテライト型印刷ユニットの下流に第２のドライヤが設けられている、請求項１記載のウェブ印刷機。
【請求項４】
第１のドライヤが冷却区分を有する、請求項１記載のウェブ印刷機。
【請求項５】
第１のサテライト型印刷ユニットが少なくとも４色印刷ユニットである、請求項１記載のウェブ印刷機。
【請求項６】
第１のサテライト型印刷ユニットが、垂直のウェブ入口及び出口箇所を有する、請求項１記載のウェブ印刷機。
【請求項７】
ウェブ印刷機が新聞印刷機である、請求項１記載のウェブ印刷機。
【請求項８】
第１のドライヤと第３のサテライト型印刷ユニットとの間に第１のウェブのためのウェブ案内装置が設けられている、請求項１記載のウェブ印刷機。
【請求項９】
ウェブ案内装置が、１つ又は２つ以上のアングルバーと、１つ又は２つ以上のローラとを有する、請求項８記載のウェブ印刷機。
【請求項１０】
ウェブ案内装置が、第１のウェブのためのベイウィンドウを提供している、請求項９記載のウェブ印刷機。
【請求項１１】
第１のドライヤが第２のドライヤのすぐ上方に配置されている、請求項２記載のウェブ印刷機。
【請求項１２】
２つのウェブを印刷する方法において、
第１のウェブの第１の側において第１のウェブを印刷し、
第２のウェブの第１の側において第２のウェブを印刷し、
引き続き第１及び第２のウェブを第１のドライヤにおいて乾燥させ、
第１のドライヤの下流において第１のウェブの第２の側において第１のウェブを印刷し、
第１のドライヤの下流において第２のウェブの第２の側において第２のウェブを印刷することを特徴とする、２つのウェブを印刷する方法。
【請求項１３】
第１のウェブの第１の側がサテライト型印刷機によって印刷される、請求項１２記載の方法。
【発明の詳細な説明】
【技術分野】
【０００１】
本発明は概して印刷機及びこのような印刷機を運転する方法に関する。
【０００２】
発明の背景
ウェブ印刷機は紙又はその他の物質の連続的なロールに印刷し、しばしば紙の両面に同時に印刷する。典型的なウェブ印刷機は、ウェブに種々異なる色を印刷するための複数の印刷ユニットと、ウェブを乾燥、裁断及び折畳みするためのユニットとを有する。
【０００３】
サテライト型印刷機も知られており、このサテライト型印刷機においてはウェブの第１の側が、サテライト圧胴及び４つの版胴を使用して通常４つの色で印刷され、それぞれの版胴は、ウェブに直接に接触するか又はブランケット胴を介してウェブに接触する。次いで、ウェブはヒートセットドライヤによって乾燥され、次いで第２の側も、サテライト圧胴及び４つの版胴を用いて、通常は４つの色で印刷される。次いで、完全に印刷されたウェブは第２のヒートセットドライヤによって乾燥される。
【０００４】
第１の側が印刷された後、ウェブが第２の側の印刷のために第２のサテライト圧胴上を通過させられる前に、インキが硬化しなければならないので、通常は２つのドライヤが必要とされる。インキが硬化されていないと、ウェブの第１の側における印像が、スミアリングを生じるか、又はその他の欠陥を生じる。
【０００５】
ドライヤは、エネルギ消費が大きいので、資本投資観点及び運転的観点の両方から高価である大きな装置である。ドライヤは長いウェブリードをも必要とする。
【０００６】
米国特許第４４６７７１９号明細書はサテライト型印刷機を開示しており、このサテライト型印刷機において、ウェブが一方の側において印刷され、ドライヤを通過させられ、次いで別の側において印刷され、再び反対方向にドライヤを通過させられる。
【０００７】
サテライト型印刷機を開示している米国特許第４４６７７１９号明細書及び米国特許第５７７８７７９号明細書も、引用したことにより本明細書に記載されたものとする。
【０００８】
発明の概要
本発明は、ウェブ印刷機を提供し、このウェブ印刷機に、
第１のウェブの第１の側において第１のウェブに印刷する第１のサテライト型印刷ユニットが設けられており、
第２のウェブの第１の側において第２のウェブに印刷する第２のサテライト型印刷ユニットが設けられており、
第１及び第２のサテライト印刷ユニットの下流に第１のドライヤが設けられており、第１及び第２のウェブが第１のドライヤを通過するようになっており、
第１のドライヤの下流において第１のウェブの第２の側において第１のウェブを印刷する第３のサテライト型印刷ユニットが設けられており、
第１のドライヤの下流において第２のウェブの第２の側において第２のウェブに印刷する第４のサテライト型印刷ユニットが設けられている。
【０００９】
２つのウェブを１つのドライヤに通過させることにより、ドライヤは、ウェブが同じ方向に走行しながら２つのウェブの両側を乾燥させることができる。
【００１０】
好適には、第１のウェブの第２の側と、第２のウェブの第２の側とは、互いに面して第１のドライヤ区分を通過し、これにより、インキ着けされた側が互いに反対に面し、より効果的に乾燥されることができる。
【００１１】
第３及び第４のサテライト型印刷ユニットによって印刷した後、第１のウェブの第２の側と第２のウェブの第２の側とにおけるインキを硬化させるために第２のドライヤが好適に設けられている。
【００１２】
第２のドライヤは第１のドライヤに隣接して又は別個に配置されている。
【００１３】
第１のドライヤ及び第２のドライヤは好適にはそれぞれ、冷却区分、例えば加熱区分の後の冷却ローラを有している。
【００１４】
それぞれのサテライト型ウェブ印刷ユニットは好適には少なくとも４色印刷ユニットである。
【００１５】
本発明は、２つのウェブを印刷する方法をも提供し、この方法は、
第１のウェブの第１の側において第１のウェブを印刷し、
第２のウェブの第１の側において第２のウェブを印刷し、
引き続き第１及び第２のウェブを第１のドライヤにおいて乾燥させ、
第１のドライヤの下流において第１のウェブの第２の側において第１のウェブを印刷し、
第１のドライヤの下流において第２のウェブの第２の側において第２のウェブを印刷することを含む。
【００１６】
図面の簡単な説明
本発明の別の目的、特徴及び利点は、添付の面に関連した以下の詳細な説明から明らかになるであろう。
【００１７】
図１は、本発明の実施形態によるウェブ印刷機を示している。
【００１８】
詳細な説明
図１は、４つの印刷ユニット２０，２２，２４，２６を含むウェブ印刷機１０を示しており、各印刷ユニットは、サテライト型圧胴３０，３２，３４，３６と、各印刷ユニット２０，２２，２４，２６のための４色印刷のための４つの版胴／ブランケット胴対３８とを有している。
【００１９】
印刷ユニット２０は、概略的に示されたように、第１のウェブ１２の第１の側１０２に４つの色を印刷し、印刷ユニット２２は、ウェブ１４の第１の側１０４に４つの色を印刷する。印刷の前に、ウェブはローラ５０によって接触される。印刷の後、乾燥の前に、湿ったウェブ面は、通常、印刷された側において空気バー５２によって方向付けられ、印刷されていない側若しくは乾燥された側においてローラ５０によって方向付けられる。空気バー５２は、ウェブにおけるインキがスミアリングを生じるのを防止するために、ウェブの外面にエアクッションを提供する。
【００２０】
ウェブ１２及び１４は、案内ローラ５０及び空気バー５２を介してドライヤ６０に供給される。ドライヤ６０は、移動するウェブを乾燥させるためのドライヤ部分と、移動するウェブを冷却するための冷却ローラ部分とを有する。通常は４つの案内ローラと、通常は５つの空気バーとがウェブ１２，１４を案内し、これにより、ウェブは、図示されたように印刷された側１０２，１０４が外方に面しかつ印刷されていない側が互いに面しながら同じ方向にドライヤ６０を通過する。これは、側１０２，１０４のより優れた乾燥を可能にする。
【００２１】
ウェブ１２，１４は引き続き、加熱されたウェブ１２，１４を冷却し、インキを硬化させるのを助けるために、ドライヤ６０の冷却部分７０を通過させられる。冷却ローラアセンブリは通常、ローラの内部を流過する水又はその他の冷媒によって冷却されるローラの連続を含む。
【００２２】
ドライヤ６０を通過した後、ウェブ１２はウェブ案内装置８０へ進み、このウェブ案内装置は、ウェブ１２をウェブ１４の内側に移動させるためのアングルバー８２，８４を有している。この段階において、例えばウェブ１２，１４の方向及び位置を制御するためのベイウィンドウ９０を提供するために、様々なローラ及びアングルバーの構成が提供されることができる。例えば米国特許第６９０２１３５号明細書は引用したことにより本明細書に記載されたものとする。
【００２３】
次いで、印刷ユニット２４は、側１０２とは反対のウェブ１２の側２０２において例えば４つの色を印刷し、印刷ユニット２６はウェブ１４の側２０４において印刷する。次いで、ウェブ１２，１４は、それぞれ空気バーを介して印刷ユニット２４，２６から出る。次いで、ウェブ１２及び１４は、冷却区分７２を備えた第２のドライヤ６２を通過し、これにより、好適には湿った側２０２，２０４は外方に面し、乾燥された側１０２，１０４は互いに面する。
【００２４】
ウェブ１２，１４は次いで、２つのウェブのための折り機区分１００に進入し、この折り機区分においてそれぞれのウェブ１２，１４は縦断ちされ、これにより形成されたリボンが組み合わされ、リボンは長手方向に折り畳まれ、裁断されて折丁となる。
【００２５】
印刷ユニット２０，２２，２４，２６は水平ウェブ入口及び出口を有する。
【図面の簡単な説明】
【００２６】
【図１】本発明の実施形態によるウェブ印刷機を示している。
【符号の説明】
【００２７】
２０，２２，２４，２６  印刷ユニット、  ３０，３２，３４，３６  サテライト型圧胴、  ３８  版胴／ブランケット胴対、  ５０  ローラ、  ５２  空気バー、  ６０  ドライヤ、  ７０  冷却部分、  ８０  ウェブ案内装置、  ９０  ベイウィンドウ、  １０２  第１の側、  １０２，１０４  第１の側、  ２０２，２０４  湿った側
【図１】
2009530133.tif 000003
【国際調査報告】
2009530133.tif 000004
2009530133.tif 000005
2009530133.tif 000006